(57)【要約】【課題】記録媒体詰まりが生じた場合に、該当する駆動手段に電力を供給し続けることに起因する、駆動手段にかかる負荷を低減することができる技術を提供する。【解決手段】カラープリンタ１は、用紙Ｐを搬送する搬送ロールを駆動する駆動部に電力を供給し、主電源がＯＮの状態でＯＮおよびＯＦＦ可能な駆動系電源と、ジャムとジャムに関連する駆動部とを対応付けた駆動部対応テーブルと、駆動部対応テーブルからジャムに対応する駆動部を検索する駆動部検索手段５０６と、駆動部検索手段５０６が検索した駆動部を記憶する記憶手段５０７と、駆動部検索手段５０６が連続して同じ駆動部を検索したことを記憶手段５０７から検出する駆動部検出手段５０８と、駆動部検出手段５０８が連続して同じ駆動部を検索したことを検出した場合、駆動部に電力を供給する駆動系電源をＯＦＦとする電源ＯＦＦ手段５０９とを備える。【選択図】図４
2010156722.tif 000002
【特許請求の範囲】
【請求項１】
記録媒体を搬送する搬送手段を駆動する駆動手段に電力を供給し、主電源がＯＮの状態でＯＮおよびＯＦＦ可能な駆動系電源と、
記録媒体詰まりの情報と前記記録媒体詰まりの情報に関連する前記駆動手段とを対応付けた対応テーブルと、
前記対応テーブルから前記記録媒体詰まりの情報に対応する前記駆動手段を検索する検索手段と、
前記検索手段が検索した前記駆動手段を記憶する記憶手段と、
前記検索手段が連続して同じ前記駆動手段を検索したことを前記記憶手段から検出する検出手段と、
前記検出手段が連続して同じ前記駆動手段を検索したことを検出した場合、前記駆動手段に電力を供給する前記駆動系電源をＯＦＦとするＯＦＦ手段と
を備えることを特徴とする画像形成装置。
【請求項２】
前記駆動系電源をＯＦＦとしたことを通知する通知手段を備えることを特徴とする請求項１に記載の画像形成装置。
【請求項３】
前記記憶手段に記憶された前記駆動手段をクリアするクリア手段を備え、
前記クリア手段が記憶された前記駆動手段をクリアするタイミングは、搬送される前記記録媒体が前記駆動手段により駆動される前記搬送手段を通過した場合とすることを特徴とする請求項１または２に記載の画像形成装置。
【請求項４】
前記記憶手段は前記駆動系電源をＯＦＦとするための基準となる連続回数を記憶し、
前記連続回数が設定可能であることを特徴とする請求項１〜３のいずれか一項に記載の画像形成装置。
【請求項５】
記録媒体を搬送する搬送手段を駆動する駆動手段に電力を供給し、主電源がＯＮの状態でＯＮおよびＯＦＦ可能な駆動系電源と、記録媒体詰まりの情報と前記記録媒体詰まりの情報に関連する前記駆動手段とを対応付けた対応テーブルとを備える画像形成装置に、
前記対応テーブルから前記記録媒体詰まりの情報に対応する前記駆動手段を検索する検索手順と、
前記検索手順により検索された前記駆動手段を記憶する記憶手順と、
前記検索手順により連続して同じ前記駆動手段を検索されたことを検出する検出手順と、
前記検出手段が連続して同じ前記駆動手段を検索したことを検出した場合、前記駆動手段に電力を供給する前記駆動系電源をＯＦＦとするＯＦＦ手順と
を実行させるためのプログラム。
【発明の詳細な説明】
【技術分野】
【０００１】
本発明は、画像形成装置およびプログラムに関する。
【背景技術】
【０００２】
従来の画像形成装置としては、例えば特許文献１に記載のものがある。特許文献１では、画像形成装置は各種センサを通じて装置内の異常を監視している。異常が発生するとその内容に応じたアドレス情報が不揮発性メモリに供給され、その内部の異常内容判別テーブルの検索が行われる。このテーブルには、操作者が復旧できるものとサービスマンが復旧できるものに異常内容を分けており、サービスマンを必要とする異常内容に対しては操作パネルにその旨の表示が行われ、サービスマンによる復旧が必要であると判別されたその段階で表示に関する部品以外の部品に対する電源の供給がすべて遮断される。一方、ジャムが発生した場合、電源の供給が遮断されない。
【特許文献１】特開平７−５２５０３号公報
【発明の開示】
【発明が解決しようとする課題】
【０００３】
本発明は、記録媒体詰まりが生じた場合に、該当する駆動手段に電力を供給し続けることに起因する、駆動手段にかかる負荷を低減することができる技術を提供することを目的とする。
【課題を解決するための手段】
【０００４】
請求項１に記載の発明は、記録媒体を搬送する搬送手段を駆動する駆動手段に電力を供給し、主電源がＯＮの状態でＯＮおよびＯＦＦ可能な駆動系電源と、記録媒体詰まりの情報と前記記録媒体詰まりの情報に関連する前記駆動手段とを対応付けた対応テーブルと、前記対応テーブルから前記記録媒体詰まりの情報に対応する前記駆動手段を検索する検索手段と、前記検索手段が検索した前記駆動手段を記憶する記憶手段と、前記検索手段が連続して同じ前記駆動手段を検索したことを前記記憶手段から検出する検出手段と、前記検出手段が連続して同じ前記駆動手段を検索したことを検出した場合、前記駆動手段に電力を供給する前記駆動系電源をＯＦＦとするＯＦＦ手段とを備えることを特徴とする画像形成装置である。
【０００５】
請求項２に記載の発明は、請求項１に記載の発明において、前記駆動系電源をＯＦＦとしたことを通知する通知手段を備えることを特徴とする。
【０００６】
請求項３に記載の発明は、請求項１または２に記載の発明において、前記記憶手段に記憶された前記駆動手段をクリアするクリア手段を備え、前記クリア手段が記憶された前記駆動手段をクリアするタイミングは、搬送される前記記録媒体が前記駆動手段により駆動される前記搬送手段を通過した場合とすることを特徴とする。
【０００７】
請求項４に記載の発明は、請求項１〜３のいずれか一項に記載の発明において、前記記憶手段は前記駆動系電源をＯＦＦとするための基準となる連続回数を記憶し、前記連続回数が設定可能であることを特徴とする。
【０００８】
請求項５に記載の発明は、記録媒体を搬送する搬送手段を駆動する駆動手段に電力を供給し、主電源がＯＮの状態でＯＮおよびＯＦＦ可能な駆動系電源と、記録媒体詰まりの情報と前記記録媒体詰まりの情報に関連する前記駆動手段とを対応付けた対応テーブルとを備える画像形成装置に、前記対応テーブルから前記記録媒体詰まりの情報に対応する前記駆動手段を検索する検索手順と、前記検索手順により検索された前記駆動手段を記憶する記憶手順と、前記検索手順により連続して同じ前記駆動手段を検索されたことを検出する検出手順と、前記検出手段が連続して同じ前記駆動手段を検索したことを検出した場合、前記駆動手段に電力を供給する前記駆動系電源をＯＦＦとするＯＦＦ手順とを実行させるためのプログラムである。
【発明の効果】
【０００９】
請求項１に記載の発明によれば、記録媒体詰まりが生じた場合に、該当する駆動手段に電力を供給し続けることに起因する、駆動手段にかかる負荷を低減することができることができる。
【００１０】
請求項２に記載の発明によれば、画像形成装置の使用者は第２電源がＯＦＦとされたことを知ることができる。
【００１１】
請求項３に記載の発明によれば、記憶手段の記憶領域を有効に使用することができる。
【００１２】
請求項４に記載の発明によれば、画像形成装置の使用環境に対応することができる。
【００１３】
請求項５に記載の発明によれば、記録媒体詰まりが生じた場合に、該当する駆動手段に電力を供給し続けることに起因する、駆動手段にかかる負荷を低減することができる。
【発明を実施するための最良の形態】
【００１４】
（カラープリンタの概略構成）
以下、本発明の一実施形態について図面を参照して説明する。まず、画像形成装置の一例としてカラープリンタ１の概略構成について図面を参照して説明する。図１はカラープリンタの概要を示す概略構成図であり、図２はカラープリンタを示す構成図であり、図３はカラープリンタの駆動系を示す構成図であり、図４は出力制御部の概要を示すブロック図であり、図５は駆動部対応テーブルを示す図である。
【００１５】
図１において、符号１は、カラープリンタである。カラープリンタ１は、出力制御部５、画像形成ユニット１０、一次転写装置２０、第１給紙装置３０、二次転写装置４０、定着装置５０、第２給紙装置８０などを備えている。カラープリンタ１は、シアン（Ｃ）、マゼンタ（Ｍ）、イエロー（Ｙ）、ブラック（Ｋ）の４色の色成分の重ね合わせた画像を用紙Ｐに印刷する。なお、記録媒体の一例としては用紙Ｐであり、記録媒体のその他の例としてはＯＨＰフィルムや厚紙などがある。
【００１６】
カラープリンタ１は、パーソナルコンピュータや画像読取装置などの図示省略した画像出力装置から、予め定められた通信回線を経て画像データが出力制御部５に供給される。出力制御部５は、供給された画像データに基づき、画像形成ユニット１０に画像形成の制御指令を発する。また、出力制御部５は、この画像形成動作を含めてカラープリンタ１全体の動作を制御する。なお、出力制御部５の詳細については後述する。
【００１７】
画像形成ユニット１０は、出力制御部５から供給される画像データに応じてレーザ光を走査するレーザ光走査装置１１と、このレーザ光走査装置１１の上方に配置され、レーザ光走査装置１１で走査されたレーザ光により静電潜像が形成される感光体ドラム１２とを有している。レーザ光走査装置１１は、各色の画像データに応じて変調したレーザ光を偏向走査して、感光体ドラム１２に照射する。
【００１８】
感光体ドラム１２は、矢印Ａ方向に回転する。感光体ドラム１２の周囲には、感光体ドラム１２の表面を掃除する図示省略したクリーニング装置と、感光体ドラム１２の表面を帯電する図示省略した帯電器と、感光体ドラム１２の表面に形成された静電潜像を現像する現像器１３とが、この順で矢印Ａ方向に沿って設けられている。
【００１９】
この画像形成ユニット１０によると、回転する感光体ドラム１２が図示省略した帯電器により帯電され、その表面に、レーザ光走査装置１１からレーザ光が照射され、これによって各色の画像データに応じた静電潜像が形成される。次に、静電潜像が現像器１３を通過することにより現像器１３から感光体ドラム１２の表面にトナーが供給され、その表面に、静電潜像のみにトナーが残ってトナー像が現像される。
【００２０】
一次転写装置２０は、感光体ドラム１２から転写ベルト２１にトナー像を受けて一次転写のプロセスを担うものである。一次転写装置２０の転写ベルト２１上には、各色のトナー像が多重転写される。転写ベルト２１は、駆動ロール２２およびバックアップロール２３に、テンションがかかった状態で巻回されており、駆動ロール２２によって矢印Ｂ方向に循環回転させられる。
【００２１】
転写ベルト２１の内周側には、感光体ドラム１２との間に転写ベルト２１を挟み、感光体ドラム１２と連れ回りする一次転写ロール２４が、回転自在に設けられている。転写ベルト２１を挟んで駆動ロール２２と対向する位置には、転写ベルト２１の表面を掃除するベルトクリーナ２５が設けられている。このベルトクリーナ２５は、転写ベルト２１の表面に残存したトナーを掻き落とす。
【００２２】
一次転写装置２０では、感光体ドラム１２上のトナー像が、矢印Ｂ方向に循環回転している転写ベルト２１上に一次転写される。一次転写後、感光体ドラム１２の表面には、トナーが残存する。その残存したトナーは、図示省略したクリーニング装置により感光体ドラム１２の表面から掻き落とされる。
【００２３】
第１給紙装置３０は、カラープリンタ１の底部に設けられている。第１給紙装置３０は、用紙Ｐが積載される給紙保管部３１と、給紙保管部３１から１枚の用紙Ｐを引き出す抽出ロール３２と、第１給紙装置３０から用紙Ｐを用紙搬送路７０に送り込む搬送ロール対３３とを備えている。第１給紙装置３０は、用紙Ｐを供給する。
【００２４】
カラープリンタ１は、用紙搬送路７０に沿うように二次転写装置４０に向けて間隔をおいて設けられた、用紙Ｐを搬送する第１搬送ロール７１、第２搬送ロール７２および第３搬送ロール７３と、予め定められたタイミングで二次転写装置４０に用紙Ｐを送り込むレジストロール対３４と、用紙Ｐを排出部７８に排出する第１排出ロール７５、用紙Ｐを図示省略した排出部に排出する第２排出ロール７６およびフェイスアップロール７７とを備えている。給紙保管部３１から引き出されて用紙搬送路７０に送り込まれた用紙Ｐは、用紙搬送経路７０に沿って用紙Ｐの搬送方向（図１および図２の矢印Ｃ方向）に搬送され、排出部７８または図示省略した排出部に排出される。
【００２５】
二次転写装置４０は、バックアップロール２３との間に転写圧を発生させながら回転する二次転写ロール４１を備えている。二次転写装置４０においては、給紙保管部３１から搬送された用紙Ｐが、転写ベルト２１上のトナー像とタイミングを合わせて二次転写ロール４１と転写ベルト２１との間に挿入され、用紙Ｐの表面にトナー像が二次転写される。二次転写された用紙Ｐは、定着装置５０に送られる。
【００２６】
定着装置５０は、用紙Ｐの搬送方向（図１および図２の矢印Ｃ方向）において二次転写装置４０の下流側に設けられている。定着装置５０は、加熱ロール５１と、加圧ロール５２とを備えている。定着装置５０は、加熱ロール５１と加圧ロール５２との間に用紙Ｐを加熱しながら挟んで搬送することにより、用紙Ｐの表面に二次転写像を定着させる。
【００２７】
カラープリンタ１には、用紙Ｐの表裏を反転させて用紙搬送路７０に再度送り込むための反転用搬送路６０が配置されている。カラープリンタ１には、用紙Ｐの搬送方向（図１および図２の矢印Ｃ方向）において、定着装置５０の下流側に反転ロール６１が設けられている。反転ロール６１は、用紙Ｐを反転搬送路６０に送り込む。カラープリンタ１には、反転搬送路６０に３個の搬送ロール対６２が設けられている。搬送ロール対６２は、用紙Ｐを挟んで搬送する。反転用搬送路６０では、反転ロール６１により送られてきた用紙Ｐの表裏を反転させて、再び用紙搬送路７０へ送り戻す。
【００２８】
第２給紙装置８０は、カラープリンタ１の側面に設けられている。第１給紙装置８０は、用紙Ｐが積載される図示省略した給紙部と、給紙部から１枚の用紙Ｐを引き出す抽出ロール８１と、第２給紙装置８０から用紙Ｐを用紙搬送路７０に送り込む搬送ロール対８２とを備えている。第２給紙装置８０は、用紙Ｐを供給する。
【００２９】
用紙検知センサ９１は、用紙Ｐの搬送方向（図１および図２の矢印Ｃ方向）において、給紙装置３０の搬送ロール対３３および第２搬送ロール７２の下流側で第３搬送ロール７３の上流側に設けられている。用紙検知センサ９２は、用紙Ｐの搬送方向（図１および図２の矢印Ｃ方向）において、二次転写装置４０の二次転写ロール４１の下流側で定着装置５０の加圧ロール５１の上流側に設けられている。
【００３０】
用紙検知センサ９１および用紙検知センサ９２は、搬送されている用紙Ｐを検知すると、出力制御部５に信号を送信する。その送信された信号に基づいて出力制御部５により各種の動作が制御される。具体的には、給紙装置３０から供給された用紙Ｐが第２排出ロール７６により排出される設定の場合、用紙検知センサ９１が搬送される用紙Ｐを検知してから予め定められた時間内に、用紙検知センサ９２が用紙Ｐを検知すると、カラープリンタ１の印刷動作が行われる。一方、用紙検知センサ９１が搬送される用紙Ｐを検知してから予め定められた時間内に、用紙検知センサ９２が用紙Ｐを検知しないと、用紙Ｐがカラープリンタ１内に詰まった状態として各種の動作が制御される。なお、以下では用紙Ｐがカラープリンタ１内に詰まった状態を紙詰まりという。
【００３１】
なお、カラープリンタ１は、用紙検知センサ９１および用紙検知センサ９２以外に、後述するジャムを決定することが可能なように図示省略した用紙検知センサを備えている。また、紙詰まりとジャムとの関係については、後述する。
【００３２】
カラープリンタ１は、図３に示すように、主電源６を備えている。主電源６は、カラープリンタ１全体を作動させるための電源である。主電源６には、駆動系電源の例として定着電源１１１、主モータ用電源１２１、第１給紙電源１３１、第２給紙電源１４１、第３給紙電源１５１、テイクアウェイ電源１６１、反転用電源１７１および排出電源１８１が接続されている。各駆動系電源は、入力電力から必要とされる出力電力を生成する電力回路などにより構成されている。各駆動系電源は、主電源６がＯＮの状態でＯＮおよびＯＦＦが可能である。
【００３３】
定着電源１１１、主モータ用電源１２１、第１給紙電源１３１、第２給紙電源１４１、第３給紙電源１５１、テイクアウェイ電源１６１、反転用電源１７１および排出電源１８１にはそれぞれ、図３に示すように、駆動手段の一例として駆動部である定着モータ１１０、主モータ１２０、第１給紙モータ１３０、第２給紙モータ１４０、第３給紙モータ１５０、テイクアウェイモータ１６０、反転用モータ１７０および排出モータ１８０が接続されている。各駆動系電源は、主電源６がＯＮの状態でかつ駆動系電源がＯＮの状態で、電力を駆動部に供給する。一方、各駆動系電源は、駆動系電源がＯＦＦの状態で、電力を駆動部に供給しない。
【００３４】
定着モータ１１０は、図５に示すように、搬送手段の一例として搬送ロールである加熱ロール５１および第１排出ロール７５を駆動する。主モータ１２０は、図５に示すように、搬送ロールである二次転写ロール４１、第３搬送ロール７３、レジストロール７４、抽出ロール８１および搬送ロール対８２を駆動する。第１給紙モータ１３０、第２給紙モータ１４０および第３給紙モータ１５０はそれぞれ、図５に示すように、搬送ロールである抽出ロール３２および搬送ロール対３３を駆動する。
【００３５】
テイクアウェイモータ１６０は、図５に示すように、搬送ロールである第１搬送ロール７１および第２搬送ロール７２を駆動する。反転用モータ１７０は、図５に示すように、搬送ロールである搬送ロール対６２を駆動する。排出モータ１８０は、図５に示すように、搬送ロールである反転ロール６１、第２排出ロール７６およびフェイスアップロール７７を駆動する。
【００３６】
（出力制御部の構成）
次に、出力制御部５の構成について図面を参照して説明する。カラープリンタ１には、図１に示すように、出力制御部５が設けられている。出力制御部５は、図４に示すように、制御部５０１と、Ｉ／Ｏ（Ｉｎｐｕｔ／Ｏｕｔｐｕｔ）ポート５０２と、搬送制御部５０３と、画像形成部５０４とで構成されている。出力制御部５は、後述するカラープリンタ１の駆動系電源の制御動作を含むカラープリンタ１全体の動作を制御する。
【００３７】
制御部５０１は、ＣＰＵ（Ｃｅｎｔｒａｌ  Ｐｒｏｃｅｓｓｉｎｇ  Ｕｎｉｔ）、ＲＡＭ（Ｒａｎｄａｍ  Ａｃｃｅｓｓ  Ｍｅｍｏｒｙ）  、ＲＯＭ（Ｒｅａｄ  Ｏｎｒｙ  Ｍｅｍｏｒｙ）などにより構成されている。ＣＰＵは、カラープリンタ１全体の動作を制御しており、後述する動作を実行する機能を有する。ＲＯＭは、後述する動作を実行するための動作プログラムおよびその動作に必要なデータを記憶する。ＲＡＭは、後述する動作手順の実行時において、プログラムデータや各種のデータを一時的に記憶するワーキングエリア、および後述する動作において得られる各種のデータを記憶する記憶手段として機能する。ＲＡＭには、不揮発性メモリも含まれており、必要なデータは、主電源６をＯＦＦとしても保持される。
【００３８】
制御部５０１には、Ｉ／Ｏポート５０２を介して搬送制御部５０３および画像形成部５０４が接続されている。搬送制御部５０３は、ＣＰＵ、ＲＡＭ、ＲＯＭなどにより構成されている。搬送制御部５０３は、カラープリンタ１の用紙Ｐの搬送動作を制御する。画像形成部５０４は、ＣＰＵ、ＲＡＭ、ＲＯＭなどにより構成されている。画像形成部５０４は、カラープリンタ１の画像形成動作を制御する。
【００３９】
制御部５０１には、図５に示すように、対応テーブルの一例として駆動部対応テーブルが記憶されている。駆動部対応テーブルは、記録媒体詰まりの情報の一例としてジャムと、駆動部と、駆動系電源と、搬送ロールとを対応付けたテーブルである。
【００４０】
ここで、例えば、主モータ１２０に対応するジャムＢというのは、図２に示すように、用紙Ｐの搬送方向（図２および図３の矢印Ｃ方向）において、用紙検知センサ９１から用紙検知センサ９２までの範囲に関連する紙詰まりに対応している。つまり、主モータ１２０に対応するジャムＢというのは、主モータ１２０が駆動する搬送ロールに関連する紙詰まりに対応している。
【００４１】
なお、対応テーブルの例としては駆動部対応テーブルに限らず、ジャムと駆動部とを対応付けたテーブルと、駆動部と駆動部に電力を供給する駆動系電源とを対応付けたテーブルとを分けたテーブルなどとしてもよい。また、例えば用紙Ｐの搬送に関連する用紙吸引装置や用紙のばりを取る装置などのその他の情報をジャム、駆動部や駆動系電源などと対応付けたテーブルとしてもよい。したがって、記録媒体を搬送する搬送手段の一例としては用紙Ｐを搬送する搬送ロールに限らず、用紙Ｐの搬送に関連する装置であってもよい。
【００４２】
制御部５０１は、機能としてジャム決定手段５０５と、検索手段の一例として駆動部検索手段５０６と、記憶手段５０７と、検出手段の一例として駆動部検出手段５０８と、ＯＦＦ手段の一例として電源ＯＦＦ手段５０９と、通知手段の一例としてエラー通知手段５１０と、クリア手段の一例として駆動部クリア手段５１１と、回数設定手段５１２とを有している。
【００４３】
ジャム決定手段５０５は、紙詰まりが発生した場合、紙詰まりの発生情報に基づいてジャムを決定する。例えば、用紙Ｐの搬送方向（図１および図２の矢印Ｃ方向）において、用紙検知センサ９１の下流側でかつ用紙検知センサ９２の上流側で紙詰まりが発生した場合、ジャム決定手段５０５は、用紙検知センサ９１または用紙検知センサ９２からの信号などの紙詰まりの発生情報に基づいてジャムＢを決定する。
【００４４】
駆動部検索手段５０６は、ジャム決定手段５０５が決定したジャムに対応する駆動部を駆動部対応テーブルから検索する。例えば、ジャム決定手段５０５によりジャムＢが決定された場合、駆動部検索手段５０６は、ジャムＢに対応する駆動部である主モータ１２０を駆動部対応テーブルから検索する。
【００４５】
記憶手段５０７は、駆動部検索手段５０６が検索した駆動部、駆動系電源をＯＦＦとするための基準となる連続回数および駆動部のエラー回数を記憶する。例えば、駆動部検索手段５０６が主モータ１２０を検索した場合、記憶手段５０７は、主モータ１２０を記憶する。また、回数設定手段５１２が設定した連続回数を記憶する。また、駆動部検索手段５０６が主モータ１２０を検索し、かつ設定された連続回数より紙詰まりが発生した連続回数の方が少ない場合に、主モータ１２０のエラー回数を記憶する。
【００４６】
駆動部検出手段５０８は、駆動部検索手段５０６が連続して同じ駆動部を検索したことを記憶手段５０７から検出する。例えば、駆動部検索手段５０６が連続して主モータ１２０を検索した場合、記憶手段５０７には主モータ１２０が連続して記憶されているため、駆動部検出手段５０８は、連続して主モータ１２０が検索されたことを検出する。
【００４７】
電源ＯＦＦ手段５０９は、駆動部検出手段５０８が連続して同じ駆動部を検索したことを検出した場合、記憶手段５０７に連続して記憶されている駆動部に電力を供給する駆動系電源をＯＦＦとする。例えば、駆動部検索手段５０６が主モータ１２０を連続して検索したことを駆動部検出手段５０８が検出した場合、電源ＯＦＦ手段５０９は、主モータ１２０に対応する主モータ用電源１２１を駆動部対応テーブルから検索して、主モータ用電源１２１をＯＦＦとする。
【００４８】
エラー通知手段５１０は、駆動系電源をＯＦＦとしたこと、紙詰まりが発生したことおよび該当する駆動部のエラー回数などを、音を発するまたはカラープリンタ１の図示省略した表示部に表示することにより、カラープリンタ１の使用者に通知する。そのため、カラープリンタ１の使用者は、少なくとも駆動系電源をＯＦＦとされたことおよび紙詰まりが発生したことを知る。
【００４９】
駆動部クリア手段５１１は、記憶手段５０７に記憶された駆動部をクリアする。駆動部クリア手段５１１が駆動部をクリアするタイミングは、搬送される用紙Ｐが駆動部により駆動される搬送ロールを通過した場合である。例えば、記憶手段５０７に主モータ１２０が記憶されていて、搬送される用紙Ｐが、主モータ１２０により駆動される二次転写ロール４１を通過した場合、駆動部クリア手段５１１は、記憶手段５０７に記憶された主モータ１２０に関する情報を消去する。
【００５０】
回数設定手段５１２は、カラープリンタ１の使用者により図示省略した操作パネルから入力された情報に基づいて、駆動系電源をＯＦＦとするための基準となる連続回数を設定する。連続回数は、２回以上の回数を設定することが可能である。連続回数は、記憶手段５０７に記憶される。
【００５１】
（カラープリンタの印刷動作）
次に、カラープリンタ１の印刷動作について説明する。カラープリンタ１は、それぞれの感光体ドラム１１の表面に形成されたＣ，Ｍ，Ｙ，Ｋの各色のトナー像を転写ベルト２１に順次一次転写する。次いで、第１給紙装置３０または第２給紙装置８０から搬送された用紙Ｐに、二次転写装置４０により転写ベルト２１上の一次転写像を二次転写する。そして、用紙Ｐを定着装置５０に送り、用紙Ｐに二次転写像を定着させ、用紙Ｐを排出部７８などに排出する。
【００５２】
（駆動系電源の制御動作）
次に、駆動系電源の制御動作について図面を参照して説明する。図６は駆動系電源の制御動作の一例を示すフローチャートであり、図７は記憶手段の記憶情報の一部を示す図である。
【００５３】
カラープリンタ１の状態が、以下の状態である場合の駆動系電源の制御動作について説明する。カラープリンタ１の状態は、回数設定手段５１２により連続回数が２回に設定されている状態である。また、図７に示すように、カラープリンタ１の使用者により図示省略した操作パネルが操作されて用紙Ｐの搬送が開始されたが紙詰まりが発生して、記憶手段５０７に排出モータ１８０が記憶され、次いで用紙Ｐの搬送が再度開始されたが異なる部分で紙詰まりが発生して、記憶手段５０７に主モータ１２０が記憶されている状態である。さらに、カラープリンタ１の使用者により紙詰まりを発生させた用紙Ｐが取り除かれた状態である。
【００５４】
カラープリンタ１の使用者により図示省略した操作パネルが再度操作されて用紙Ｐの搬送が開始されると、駆動系電源の制御動作を開始し（ステップＳ１０１）、搬送される用紙Ｐが搬送ロールを通過したか否かを判定する（ステップＳ１０２）。そして、搬送される用紙Ｐが搬送ロールを通過していない場合には、ステップＳ１０２の判定がＮＯとなり、搬送ロールを通過したか否かを判定する処理（ステップＳ１０２）が繰り返される。
【００５５】
一方、搬送される用紙Ｐが搬送ロールを通過した場合には、ステップＳ１０２の判定がＹＥＳとなり、通過した搬送ロールに対応する駆動部をクリアする（ステップＳ１０３）。例えば、記憶手段５０７にテイクアウェイモータ１６０が記憶されている状態で、図２に示すように、搬送される用紙Ｐが搬送ロール対７２を通過した場合には、記憶手段５０７に記憶されたテイクアウェイモータ１６０をクリアする。
【００５６】
次に、紙詰まりが発生したか否かを判定する（ステップＳ１０４）。そして、紙詰まりが発生していない場合には、ステップＳ１０４の判定がＮＯとなり、搬送ロールを通過したか否かを判定する処理（ステップＳ１０２）が繰り返される。
【００５７】
一方、紙詰まりが発生した場合には、紙詰まりが発生したか否かを判定する処理（ステップＳ１０４）の判定がＹＥＳとなり、発生した紙詰まりから駆動部を検索して記憶する（ステップＳ１０５）。例えば、用紙Ｐの搬送方向（図１および図２の矢印Ｃ方向）において、用紙検知センサ９１の下流側でかつ用紙検知センサ９２の上流側で紙詰まりが発生した場合には、紙詰まりの発生情報に基づいてジャムＢを決定して、決定したジャムＢに対応する駆動部である主モータ１２０を検索して記憶する。
【００５８】
次に、紙詰まりがＮ回以上連続して発生したか否かを判定する（ステップＳ１０６）。具体的には、駆動部検出手段５０８が、駆動部検索手段５０７がＮ回以上連続して同じ駆動部を検索したことを記憶手段５０７から検出したか否かを判定する。そして、紙詰まりがＮ回以上連続して発生していない場合には、ステップＳ１０６の判定がＮＯとなり、紙詰まりが発生したジャムに対応する駆動部のエラー回数を記憶し（ステップＳ１０７）、紙詰まりが発生したことや対応する駆動部のエラー回数などのエラーを通知する（ステップＳ１０９）。そして、駆動系電源の制御動作が終了する（ステップＳ１１０）。
【００５９】
一方、紙詰まりがＮ回以上連続して発生した場合には、ステップＳ１０６の判定がＹＥＳとなり、対応する駆動部の駆動系電源をＯＦＦとする。例えば、図７に示すように、主モータ１２０が一度記憶されており、次に主モータ１２０が記憶された場合には、２回連続して主モータ１２０を検索した場合に該当し、ステップＳ１０６の判定がＹＥＳとなり、対応する主モータ用電源１２１をＯＦＦとする。そのため、主モータ用電源１２１が主モータ１２０に電力を供給しない状態となる。そして、駆動系電源である主モータ用電源１２１をＯＦＦとしたことおよび紙詰まりが発生したことなどのエラーを通知し（ステップＳ１０９）、駆動系電源の制御動作が終了する（ステップＳ１１０）。
【００６０】
上述したように、紙詰まりが発生した場合に駆動系電源の制御動作が行われるが、ジャムＢ以外の紙詰まりが発生した場合には、ジャムＡまたはジャムＣ〜ジャムＨのいずれか一つのジャムが決定されて、駆動系電源の制御動作が行われる。
【００６１】
以上説明した動作は、カラープリンタ１の出力制御部５に格納されたプログラムに従って実行される。なお、これらのプログラムは、情報を記録するための記録媒体や通信回線を利用して提供することもできる。
【００６２】
（本実施形態の優位性）
カラープリンタ１では、駆動部検出手段５０８が連続して同じ駆動部を検索したことを検出した場合、駆動部に電力を供給する駆動系電源をＯＦＦとする。そのため、例えば、搬送ロールが摩耗するなどして動作に不具合がある場合に、同じ部分で紙詰まりが連続して発生する可能性があり、駆動系電源をＯＦＦとすることで、該当する駆動部に電力を供給し続けることに起因する、駆動部にかかる負荷が軽減される。
【００６３】
また、カラープリンタ１では、駆動系電源をＯＦＦとしたことを通知する。そのため、カラープリンタ１の使用者は駆動系電源がＯＦＦとされたことを知る。また、カラープリンタ１では、搬送される用紙Ｐが駆動部により駆動される搬送ロールを通過した場合に、記憶手段５０７に記憶された駆動部をクリアする。そのため、複数回紙詰まりが発生した場合でも、情報が消去されるため、記憶手段５０７の記憶領域が有効に使用される。また、図７に示すように、主モータ１２０が消去された後に、排出モータ１８０が記憶された場合には、排出モータ１８０に対応する排出電源１８１をＯＦＦとするため、妥当な駆動系電源がＯＦＦとされる。
【００６４】
また、カラープリンタ１では、駆動系電源をＯＦＦとするための基準となる連続回数が記憶され、連続回数が設定可能である。そのため、カラープリンタ１の使用環境などにより紙詰まりが発生する状況が変化する場合もあり、カラープリンタ１の使用環境に対応することができる。
【産業上の利用可能性】
【００６５】
本発明は、カラープリンタ、ＦＡＸ、カラー複写機、これらの機能を備えた画像形成装置に利用することができる。
【図面の簡単な説明】
【００６６】
【図１】カラープリンタの概要を示す概略構成図である。
【図２】カラープリンタを示す構成図である。
【図３】カラープリンタの駆動系を示す構成図である。
【図４】出力制御部の概要を示すブロック図である。
【図５】駆動部対応テーブルを示す図である。
【図６】駆動系電源の制御動作の一例を示すフローチャートである。
【図７】記憶手段の記憶情報の一部を示す図である。
【符号の説明】
【００６７】
１…カラープリンタ、６…主電源、１１０…定着モータ、１１１…定着電源、１２０…主モータ、１２１…主モータ用電源、１３０…第１給紙モータ、１３１…第１給紙電源、１４０…第２給紙モータ、１４１…第２給紙電源、１５０…第３給紙モータ、１５１…第３給紙電源、１６０…定着モータ、１６１…定着電源、１７０…反転用モータ、１７１…反転用電源、１８０…排出モータ、１８１…排出電源、５０６…駆動部検索手段、５０７…記憶手段、５０８…駆動部検出手段、５０９…電源ＯＦＦ手段、５１０…エラー通知手段、５１１…駆動部クリア手段。
【図１】
2010156722.tif 000003
【図２】
2010156722.tif 000004
【図３】
2010156722.tif 000005
【図４】
2010156722.tif 000006
【図５】
2010156722.tif 000007
【図６】
2010156722.tif 000008
【図７】
2010156722.tif 000009